(57)【特許請求の範囲】
【請求項１】
裏面全体にわたって突起を有する第１シートと、裏面全体にわたって突起を有する第２シートとを連結するシートであって、
前記第１シートと前記第２シートとをそれぞれの端部又は側部で突き合わせたときの突き合わせ面から前記第１シートの一部を覆うように伸びる第１部分と、前記突き合わせ面から前記第２シートの一部を覆うように伸びる第２部分とからなり、
前記第１部分は、前記第１シートの複数の突起とそれぞれ整合する複数の孔を有し、
前記第２部分は、前記第２シートの複数の突起とそれぞれ整合する複数の孔を有し、
前記孔に前記第１シート及び前記第２シートの対応する突起を嵌合させて前記第１シート及び前記第２シートの裏面に配置される、突起付きシートの連結用シート。
【請求項２】
前記連結用シートは、裏面に少なくとも１つの突起を有する、請求項１に記載の突起付きシートの連結用シート。
【請求項３】
裏面全体にわたって突起を有する第１シートと、裏面全体にわたって突起を有する第２シートとを連結するシートであって、
前記第１シートと前記第２シートとをそれぞれの端部又は側部で間隔をおくように配置したときの前記第１シートの端部又は側部から前記第１シートの一部を覆うように伸びる第１部分と、前記第２シートの端部又は側部から前記第２シートの一部を覆うように伸びる第２部分と、前記間隔を覆う第３部分とからなる帯状のものであり、
前記第１部分は、前記第１シートの複数の突起とそれぞれ整合する複数の孔を有し、
前記第２部分は、前記第２シートの複数の突起とそれぞれ整合する複数の孔を有し、
前記孔に前記第１シート及び前記第２シートの対応する突起を嵌合させて前記第１シート及び前記第２シートの裏面に配置される、突起付きシートの連結用シート。
【発明の詳細な説明】
【０００１】
【発明の属する技術分野】
本発明は突起付きシートの連結用シートに関し、特に、コンクリート構造物の耐食用又は劣化した箇所の補修用として使用されるプラスチックシートやゴムシートをコンクリート構造物に張り付けるとき、隣り合わせに配置されるシート相互を連結するのに適する連結用シートに関する。
【０００２】
【従来の技術】
耐食性に優れたプラスチック又はゴムのシートをコンクリート構造物の表面に張り付け、コンクリート構造物の耐用性向上を図ることがある。この場合、平坦なシートをコンクリート構造物の表面に張り付けるだけでは、シートの剥離が生じ、当初の目的を達成できなくなるおそれがあることから、シートの裏面全体にわたって突起を設けておき、これら突起をコンクリート構造物中に埋設させる技術が提案されている（特開平8-261357号公報）。
【０００３】
【発明が解決しようとする課題】
シートは一定幅を有するため、面的な広がりを持つコンクリート構造物の表面全体にシートを張り付けるには、一定幅のシートを隣り合わせに並列して張り付けなければならない。その結果、隣り合わせに配置されるシート間に突き合わせ面が生ずることから、この突き合わせ面を覆うようにシートと同質の当てシートを当てて貼り付けたり、突き合わせのままで突き合わせ面を熱溶着したりして、突き合わせ面近傍部分の剥離を防いでいる。ところが、突起付きシートの場合、裏面全体にわたる突起のために剛性が大きくなっているため、例えば曲がりくせがあると、前記手立てによってこれを矯正するのが難しく、突き合わせ面近傍部分に剥離が起こりやすい。加えて、前記手立てのための作業に多くの手間がかかっている。
【０００４】
本発明は、シートによる耐食性向上を図る際の作業性を改善でき、剥離を起こしにくい、突起付きシートの連結用シートを提供する。
【０００５】
【課題を解決するための手段、作用及び効果】
本発明は、裏面全体にわたって突起を有する第１シートと、裏面全体にわたって突起を有する第２シートとを連結するシートであって、前記第１シートと前記第２シートとをそれぞれの端部又は側部で突き合わせたときの突き合わせ面から前記第１シートの一部を覆うように伸びる第１部分と、前記突き合わせ面から前記第２シートの一部を覆うように伸びる第２部分とからなる。前記第１部分は、前記第１シートの複数の突起とそれぞれ整合する複数の孔を有し、前記第２部分は、前記第２シートの複数の突起とそれぞれ整合する複数の孔を有する。連結用シートは、前記孔に前記第１シート及び前記第２シートの対応する突起を嵌合させて前記第１シート及び前記第２シートの裏面に配置される。
【０００６】
第１シートと第２シートとを連結すべきとき、例えば連結用シートの表面に接着剤を塗布しておき、連結用シートの孔に第１シート及び第２シートの対応する突起を嵌合させて第１シート及び第２シートを連結すると共に、第１シートと連結用シートとを、さらに第２シートと連結用シートとを貼り付ける。
【０００７】
突起付きシートの突起を利用して第１シート及び第２シートを連結用シートを介して連結するものであるため、作業が簡単である。また、連結用シートの孔に第１シート及び第２シートの突起を嵌合させていることから、曲がりくせのようなくせが第１シート又は第２シートに付いていても、連結用シートが第１シート及び第２シートを矯正して保持することとなり、突き合わせ面近傍部分の剥離を抑えることができる。また、連結用シートは、第１シート及び第２シートそれぞれの複数の突起と整合する複数の孔を有するため、連結用シートによって連結した状態では、連結用シートがずれることがなく、第１シート及び第２シートを適切な連結状態に保持することができる。
【０００８】
前記連結用シートは、裏面に少なくとも１つの突起を有することが好ましい。
【０００９】
突き合わせ面から第１シート又は第２シートの突起までの距離によっては、連結用シートの孔に嵌合される第１シートの突起と第２シートの突起との間に突起が存在しない比較的大きな領域が生じ、連結用シートがコンクリート構造物から浮き上がってしまうおそれがある。連結用シートの裏面に突起を設けることにより、連結用シートをコンクリート構造物に密着させることができる。
【００１０】
本発明はまた、裏面全体にわたって突起を有する第１シートと、裏面全体にわたって突起を有する第２シートとを連結するシートであって、前記第１シートと前記第２シートとをそれぞれの端部又は側部で間隔をおくように配置したときの前記第１シートの端部又は側部から前記第１シートの一部を覆うように伸びる第１部分と、前記第２シートの端部又は側部から前記第２シートの一部を覆うように伸びる第２部分と、前記間隔を覆う第３部分とからなる帯状のものである。前記第１部分は、前記第１シートの複数の突起とそれぞれ整合する複数の孔を有し、前記第２部分は、前記第２シートの複数の突起とそれぞれ整合する複数の孔を有する。連結用シートは、前記孔に前記第１シート及び前記第２シートの対応する突起を嵌合させて前記第１シート及び前記第２シートの裏面に配置される。
【００１１】
コンクリート構造物に凹凸がある場合など、第１シートの端部又は側部と第２シートの端部又は側部とを突き合わせることができないこともある。このような場合、第１シートの端部又は側部と第２シートの端部又は側部とを間隔をおいて配置し、帯状の連結用シートを使用して第１シートと第２シートとを連結することにより、当初の目的を達成できる。
【００１２】
【発明の実施の形態】
連結用シート１０は、断面状態の図１及び説明の便宜のために二重ハッチで示した平面状態の図２を参照すると、裏面全体にわたって突起１３を有する第１シート１２と、裏面全体にわたって突起１５を有する第２シート１４とを連結するものであり、第１部分１６と、第２部分１８とを一体に有する。第１シート１２と第２シート１４とは、耐食性の優れたポリエチレンのような樹脂で厚みが２mm程度に成形されている。裏面の突起１３，１５は、外径が３−６mm程度となり、高さが１０mm程度となるように定めることができる。突起１３，１５は一定のピッチで縦横にわたって設けられている。この場合のピッチは２０−５０mm程度とすることができる。連結用シート１０は、第１シート１２及び第２シート１４と同じ材料で、同じ厚みのものとして作ることができる。
【００１３】
連結用シート１０の第１部分１６は、第１シート１２と第２シート１４とをそれぞれの端部又は側部で突き合わせたときの突き合わせ面２０から第１シート１２の一部を覆うように伸びており、一方、連結用シート１０の第２部分１８は、突き合わせ面２０から第２シート１４の一部を覆うように伸びている。第１部分１６は、第１シート１２の複数の突起１３とそれぞれ整合する複数の孔２２を有し、第２部分１８は、第２シート１８の複数の突起１５とそれぞれ整合する複数の孔２４を有する。
【００１４】
図２に示した実施例では、連結用シート１０は長方形状に形成されており、第１部分１６は２つの孔２２を有し、第２部分１８は２つの孔２４を有する。図１に示すように、突起１３，１５は、上端にフランジ２６を備えることがあるが、この場合の第１部分１６及び第２部分１８の孔２２，２４は、フランジ２６の外径より小さく、フランジ２６を除く部分の外径より大きくなるように定める。
【００１５】
連結用シートは、長方形状の他、仮想線で示すように、長方形の２つの辺に三角形Ａを付け加え、全体が六角形状となるように形成したり、仮想線Ｂで示すように全体が台形状となるように形成したりなど、任意に定めることができる。また、突起１３，１５が嵌合する孔２２，２４の数量も複数であれば任意に定めることができる。
【００１６】
前記実施例では、第１シート１２と第２シート１４とは突き合わせられていた。この場合、連結用シート１０は、実施例で示したように、突き合わせ面２０の一部のみを覆う、いわゆるパッチタイプとすることができ、さらに突き合わせ面２０の全長にわたる、いわゆる帯状タイプとすることができる。これに代えて、仮想線で示すように、第１シート１２と第２シート１４とをそれぞれの端部又は側部で間隔Ｄをおくように配置することもできる。この場合、連結シートは、間隔Ｄをおくように配置したときの第１シートの端部又は側部２８から第１シート１２の一部を覆うように伸びる第１部分１６と、第２シート１４の端部又は側部３０から第２シート１４の一部を覆うように伸びる第２部分１８と、間隔Ｄを覆う第３部分３２とからなる帯状のものとする。そして、第１部分１６に、第１シート１２の複数の突起１３とそれぞれ整合する複数の孔２２を開け、第２部分に、第２シート１４の複数の突起１５とそれぞれ整合する複数の孔２４を開ける。
【００１７】
平面状態の図３を参照すると、連結用シート４０は、裏面に１つの突起４２を有する。すなわち、第１部分１６は２つの孔２２を有し、第２部分１８は２つの孔２４を有するが、第１部分１６と第２部分１８との境界に突起４２が設けられている。突起４２は、第１部分１６及び第２部分の突起１３，１５と同じ大きさ、同じ形状でよい。突起４２は、複数設けることもできる。
【００１８】
連結用シート１０，４０は、その孔２２，２４に第１シート１２及び第２シート１４の対応する突起１３，１５を嵌合させて第１シート１２及び第２シート１４の裏面に配置される。連結用シートの配置に先立ち、連結用シート１０，４０の表面に接着剤を塗布する。連結用シート４０の場合、第３部分３２には接着剤を塗布する必要はない。連結用シート１０，４０によって第１シート１２と第２シート１４とを連結した状態で、突起１３，１５，４２をコンクリート構造物４４に対面させて埋設する。
【図面の簡単な説明】
【図１】本発明に係る連結用シートによって突起付きシートを連結した状態を示す断面図で、図２の１−１線に沿って切断したものである。
【図２】本発明に係る連結用シートによって突起付きシートを連結した状態を示す平面図である。
【図３】本発明に係る連結用シートの図２とは異なる形態を示す平面図である。
【符号の説明】
１０，４０  連結用シート
１２  第１シート
１３，１５，４２  突起
１４  第２シート
１６  第１部分
１８  第２部分
２０  突き合わせ面
２２，２４  孔
２８，３０  端部又は側部
【図１】
0003872199.tif 000002
【図２】
0003872199.tif 000003
【図３】
0003872199.tif 000004